(57)【要約】      （修正有）【課題】ユニット本体から点検扉の着脱を容易にすることによる排水トラップやサクションタンクの清掃作業の効率向上、制御基板の水濡れ防止、ライトポールの垂直度調整の容易化を図った歯科治療装置を提供する。【解決手段】点検扉１３の裏側の上下に、ユニット本体１０１の側面の上下に取り付けられたボールプランジャー４を嵌入する嵌入孔が設けられたヒンジ１４を備え着脱を容易にした。ユニット本体を前面、後面、左面及右面の４ブロック部に分割し、排水トラップやサクションタンク関係、制御基板関係、排水管路関係、エアーフィルター又は水フィルターの収納スペースを確保する。さらに、点検扉をユニット本体の前面に設けて、前方から開閉できる構造とし、点検扉の前のスペースを拡大している。また、ユニット本体のフレーム１７の後部に、ライトポール取付け用シャフトの外筒を設け、その中にシャフトを嵌め込み、ライトポールの垂直度を容易に調整できる構造とした。【選択図】図６
0003182920.tif 000002
【実用新案登録請求の範囲】
【請求項１】
歯科治療装置におけるユニット本体（１）に着脱可能な点検扉（１３）を設けたことを特徴とする歯科治療装置におけるユニット本体。
【請求項２】
前記ユニット本体（１）を仕切板により複数のブロック部に分割したことを特徴とする歯科治療装置におけるユニット本体。
【請求項３】
前記点検扉（１３）が、その裏側の上下に、前記ユニット本体（１）側面の上下に取り付けられたボールプランジャーを嵌入する嵌入孔（２０）が設けられたヒンジ（１４）を備えてなることを特徴とする請求項１に記載の歯科治療装置におけるユニット本体。
【請求項４】
前記ユニット本体（１）に、ライトポール調整機構を備えてなることを特徴とする請求項１から３のいずれか１に記載の歯科治療装置におけるユニット本体。
【請求項５】
前記ユニット本体（１）に設けられたライトポールが、ユニット本体（１）の台座に立設された外筒（２６）と、該外筒（２６）内に上部から挿入されたライトポール取付け用のシャフト（２５）とからなり、前記外筒（２６）とライトポール取付け用のシャフト（２５）とが垂直度を調整するため複数の調整用ボルトでなる上下２か所の調整機構を備えてなることを特徴とする請求項１から４のいずれか１に記載の歯科治療装置におけるユニット本体。
【考案の詳細な説明】
【技術分野】
【０００１】
本考案は歯科治療装置のユニット本体に係り、点検扉の構造やライトポール調整機構の改善に関するものである。
【背景技術】
【０００２】
従来の歯科治療装置のユニット本体は、該ユニット本体内の狭い空間に、制御基板、排水管路、排水トラップ、サクションタンク等が一体に設けられており、水フィルターやエアーフィルターも制御基板や配水管と隔離されていなかったため、それぞれの点検作業がやりにくく、また、排水トラップやサクションタンクの清掃の際や排水管からの水漏れが生じた際に制御基板が排水で濡れ故障の原因となる場合があった。
また、従来の歯科診療装置においては、ユニット本体内の制御基板、排水管路等の点検しサクションタンクや排水トラップの清掃を行うための点検扉が、ユニット本体の長手側（側面）に設けられていた。
歯科治療装置は、治療室のスペースの関係からユニット本体の点検扉が設けられている側が治療室の壁側に位置するように設置される場合があり、治療室の壁とユニット本体との間のスペースが狭く、点検扉を開いてユニット本体内の制御基板、排水管路等の点検やサクションタンクや排水トラップの清掃を行うことが困難で作業に時間がかかっていた。
また、点検扉は、ユニット本体の片側の上下に固設された筒状のヒンジに、点検扉の前記ヒンジに対応する位置に配設されたピンを上から落とし込んで装着する構造で、取り外す場合は点検扉を真っ直ぐに持ち上げてピンをヒンジから抜いて取り外していたが、前記点検扉を一定角度（例えば、４５度）以上に開いて取り外さねばならず、治療室の壁とユニット本体との間の狭いスペースでは取り外しにくかった。
さらに、従来ライトアーム等を水平に取着するライトポールの垂直度の調整機構がライトポール下端に設けられたアジャスターを使用してしゃがんで調整する必要があり調整作業に手間がかかり面倒であった。
【考案の概要】
【考案が解決しようとする課題】
【０００３】
従来の歯科治療装置におけるユニット本体の点検扉の着脱が容易でない状態を、点検扉の裏側の上下に、前記ユニット本体側面の上下に取り付けられたボールプランジャーを嵌入する嵌入孔が設けられたヒンジによって容易に着脱できるようにするとともに、かつ点検扉の開閉角度を大きくし、点検扉が開いたとき前記点検扉が意図せず外れるのを防止する機構を具備し、
また、医師や補助者（以下「使用者」）が操作する水回り関係をユニット本体の前方に配置するとともに、点検扉をユニット本体の前面に配設して作業スペースの拡大を図り、
さらにユニット本体内を複数のブロック部に分割し、前記使用者とメンテナンス技術者との作業範囲を分離して不具合の発生を防止するとともに、かつ排水管から水漏れが生じた場合でも制御基板が保護され、
さらにまた、ライトポールの垂直度調整が、しゃがむことなく実施できる歯科治療におけるユニット本体を提供する。
【課題を解決するための手段】
【０００４】
上記に鑑み本考案者等は鋭意実験研究の結果下記の手段により課題を解決した。
（１）歯科治療装置におけるユニット本体に着脱可能な点検扉を設けたことを特徴とする歯科治療装置におけるユニット本体。
（２）前記ユニット本体を仕切板により複数のブロック部に分割したことを特徴とする歯科治療装置におけるユニット本体。
（３）前記点検扉が、その裏側の上下に、前記ユニット本体側面の上下に取り付けられたボールプランジャーを嵌入する嵌入孔が設けられたヒンジを備えてなることを特徴とする（１）に記載の歯科治療装置におけるユニット本体。
（４）前記ユニット本体に、ライトポール調整機構を備えてなることを特徴とする（１）から（３）のいずれか１に記載の歯科治療装置におけるユニット本体。
（５）前記ユニット本体に設けられたライトポールが、ユニット本体の台座に立設された外筒と、該外筒内に上部から挿入されたライトポール取付け用のシャフトとからなり、前記外筒とライトポール取付け用のシャフトとが垂直度を調整するため複数の調整用ボルトでなる上下２か所の調整機構を備えてなることを特徴とする（１）から（４）のいずれか１に記載の歯科治療装置におけるユニット本体。
【考案の効果】
【０００５】
本考案の歯科治療装置におけるユニット本体によれば下記の効果が発揮される。
〈１〉歯科治療装置におけるユニット本体に着脱可能に設けられた点検扉が、その裏側の上下に、前記ユニット本体側面の上下に取り付けられたボールプランジャーを嵌入する嵌入孔が設けられたヒンジを設けているので、点検扉の開閉度を大きくでき 、かつ点検扉の着脱が容易になり、ユニット本体の水回り関係（排水トラップ、サクションタンク）の清掃が容易に行え作業効率の向上が図れる。
〈２〉前記ユニット本体を仕切板により複数のブロック部に分割し、医師や補助者（以下「使用者」）が操作する水回り関係と、技術者がメンテナンスのために操作する制御基板関係、フィルター関係等の構成機構を分離配置したので、それぞれの操作において他の機器を傷つける等の不具合を回避できる。
また、排水管から水漏れが生じた場合でも制御基板が保護され、故障の危険性が防止でき歯科治療装置の安全性が向上する。
〈３〉前記ユニット本体に設けられたライトポールが、ユニット本体の台座に立設された外筒と、該外筒内に上部から挿入された短尺の内管とからなり、前記外管と内管とが垂直度を調整するため複数の調整用ボルトでなる上下２か所の調整機構を備えてなるので、ライトポールの垂直度調整がしゃがむことなく容易に実施でき、作業効率が向上する。
【図面の簡単な説明】
【０００６】
【図１】ユニット本体を前面から見た外観斜視図
【図２】ユニット本体を後面から見た外観斜視図
【図３】ユニット本体を右側面から見た外観斜視図
【図４】ユニット本体を左側面から見た外観斜視図
【図５】ユニット本体を前面から見た外観斜視図
【図６】点検扉のヒンジとユニット本体とボールプランジャーとの組み合わせ外観斜視図
【図７】点検扉裏面の開閉具ヒンジの外観斜視図
【図８】ユニット本体を構成するフレームとライトポール基礎部の外観斜視図
【図９】ライトポールシャフトと調整ネジによる調整を示す縦断面図
【図１０】ライトポールの調整機構を示す外観斜視図
【図１１】本考案の歯科ユニットを設けた歯科治療装置の一例の外観斜視図
【考案を実施するための形態】
【０００７】
考案を実施するための最良の形態を以下実施例の図面に基づいて説明する。
図１１は本考案のユニット本体を設けた歯科治療装置の構成例の外観斜視図である。
図示するように、本考案のユニット本体を設けた歯科治療装置の構成例は、ユニット本体１０１、チェアー１０２、ドクターテーブル１０３，ライトポール１０４、ライトアーム１０５、ベースン１０６、ナーステーブル１０７からなっている。  
本考案は、前記構成におけるユニット本体１０１の構造に関するものである。
【０００８】
図１はユニット本体を前面から見た外観斜視図である。
図において、Ｆはユニット本体の前面ブロック部、２は排水トラップ、３はサクションタンク、４はボールプランジャー、５は側板、５ａは取付け板、１３ｂは本体側のマグネットキャッチを示す。なお、前記排水トラップ３は、取付け板５ａに取付けられている。
本図は前面の点検扉を取り除いた図で、この前面ブロック部には使用者が操作する水回り関係の排水トラップ２及びサクションタンク３が配設されており、背面は取付け板５ａ等により他のブロック部とは隔離されている。
【０００９】
図２はユニット本体を後面から見た外観斜視図である。
図において、Ｂはユニット本体の後面ブロック部、６はエアーフィルター、７は水フィルター、８はライトポールの基礎部、９は取付け板を示す。
本図は後面に係る背板を取り除いた図で、エアーフィルター６及び水フィルター７と、
ライトポールの基礎部８とは平行して設置されており、前記フィルターの取付け板９等により、他のブロック部とは隔離されている。
【００１０】
図３はユニット本体を右側面から見た外観斜視図で、ある。
図において、Ｒはユニット本体の右面ブロック部、１０は制御基板、１１は制御基板の取付け板を示す。
本図は右側面に係る側板を取り除いた図で、制御基板１０は、制御基板の取付け板１１に取付けられている。そして前記制御基板の取付け板１１によって反対側の左面ブロック部Ｌに配設された排水管路等とは隔離されている。
【００１１】
図４はユニット本体を左側面から見た外観斜視図である。
図において、Ｌはユニット本体の左面ブロック部、１２は前記制御基板の取付け板１１の反対面を示す。
このブロック部には図示しない排水管路やそのチューブ等が収納されており、他のブロックとは隔離されている。
【００１２】
図５はユニット本体を前面から見た外観斜視図及び４ブロックの区分を示す横断面図で、図５の（ａ）は ユニット本体を前面から見た外観斜視図で、ユニット本体の点検扉１３が閉じられている状態を示す。
図５の（ｂ）は ４ブロックの区分を示す図５の（ａ）のａ−ａ’横断面図である。
図において、Ｆは前面ブロック部、Ｂは後面ブロック部、Ｒは右面ブロック部、Ｌは左面ブロック部を示し、前記各ブロック部間は仕切板によって区分、隔離されている。
前面ブロック部Ｆには、水回り関係の排水トラップ２及びサクションタンク３が配置され、後面ブロック部Ｂには、エアーフィルター６、水フィルター７と、ライトポールの基礎部８が平行に配置され、右面ブロック部Ｒには、制御基板１０が配置され、左ブロック部Ｌには、排水管路やそのチューブ等が配置される。
【００１３】
図６は、点検扉のヒンジとユニット本体のボールプランジャーとの組み合わせ外観斜視図である。
図６の（ａ）に点検扉１３の裏面及び、ユニット本体１０１の左端面の上下に配設されたボールプランジャー４との組み図を、図６の（ｂ）にボールプランジャー４の拡大図を示す。
図６の（ａ）の組み図において、４はボールプランジャー、１３ａは扉側のマグネットキャッチ、１３ｂはユニット本体側のマグネットキャッチ、１３ｄは扉の把手部、１４はヒンジ、１５はヒンジ１４の基部、１６はヒンジ１４の先端部、１７はユニット本体のフレームを示す。
図示したように、点検扉１３のヒンジ１４の先端部１６は、ユニット本体１のプランジャー４に嵌め込まれて、蝶番の作用をする。また点検扉１３を閉めた時（図示せず）には、扉側のマグネットキャッチ１３ａと、本体側のマグネットキャッチ１３ｂとが当接して点検扉１３をロックする。
そして、点検扉１３を開く時は扉の把手部１３ｄを手前に引いて開く。
【００１４】
図６の（ｂ）のボールプランジャー４の拡大図において、前記ヒンジ１４の先端部１６を把持して蝶番の作用をさせるプランジャー４は、上側のプランジャー４ａと下側のプランジャー４ｃとの上下一対のプランジャーからなる。
前記上側のプランジャー４ａ内には、弾性体により下向きに（付勢）押されているボール４ｂが、下側のプランジャー４ｃ内には、弾性体により上向きに（付勢）押されているボール４ｄが設けられている。
前記プランジャーのボール４ｂと４ｄとは所定の間隔で向き合ってこの間に後述するヒンジ１４の先端部１６の嵌入孔２０が入る。
【００１５】
図７は点検扉裏面の開閉具ヒンジの外観斜視図で、図７の（ａ）は点検扉の裏面と開閉具のヒンジを示す図、図７の（ｂ）は、同図におけるＡ部を拡大したヒンジ先端部の詳細図である。
図において、１３ａは点検扉側のマグネットキャッチ、２０はヒンジ１４の先端部に設けられた嵌入孔、２１は同ガイド溝、２２は同ストッパー、４０は点検扉１３の裏面に固設されているフレームを示す。
図７の（ａ）に示したように、点検扉は全体が浅く左右方向に湾曲した形状で、該点検扉１３の裏側左端部のフレーム４０の上下には開閉具のヒンジ１４、右端には扉を閉めた時にユニット本体側のマグネットキャッチ１３ｂと当接するマグネットキャッチ１３ａが設けられている。
また、図７の（ｂ）のヒンジ先端部の詳細図において、前述したヒンジ１４の先端部１６は、反対側のユニット本体１のフレーム１７の対称位置に設けられて、ピンの作用をする一対のボールプランジヤー４の上下のボール４ｂと４ｄが嵌入される嵌入孔２０及び、前記嵌入孔２０に近接して設けられ点検扉１３を取付ける際に当初ヒンジ１４の前記先端部１６を前記ボールプランジャーのボールに当て、先端部１６の概略位置を決めるための半円状に切り欠かれたガイド溝２１を有し、かつ、前記ヒンジ１４の先端がさらに奧に入ることを防止するためのストッパー２２がヒンジ１４の先端部１６の下部側面に固着されている。
上記によって、点検扉１３は、開閉具のヒンジ１４によって、ユニット本体１側の一対のボールプランジャー４の上下のボールの間に容易に取付けることができる。
また、点検扉１３を取り外すときは、単に引き出すだけで容易に取り出すことができ、
さらに、取付けられた点検扉１３は広角度に開き開閉度を大きくしている。
一方、点検扉１３を取付ける他の手段として、
前記図６の（ａ）の組み図に示したように、点検扉１３側のマグネットキャッチ１３ａの上下に角錐状の突起４１を固設し、また、ユニット本体１０１側のマグネットキャッチ１３ｂの上下に、前記点検扉１３側の角錐状の突起４１と係合する位置に突起受け孔４２を設けることも好ましい。
この場合、点検扉１３を閉じると、前記角錐状の突起４１は、ガイドの役割をする突起受け孔４２に挿嵌されて係合するため、  先に、点検扉１３の突起４１を、ガイドの役割をする突起受け孔４２に挿嵌させ、次に、前記ヒンジ１４側に点検扉３を閉じれば、図６の（ｂ）に示すように前記ボールプランジャー４のボール４ｂ、４ｄの間は空間があり、ヒンジの先端１６は、ボールプランジャーの前方及び左右の９０度の間のいずれの角度からも挿嵌できるので、この場合はヒンジの先端１６は横方向から挿嵌されるため、前述した直接挿嵌する場合と同様に、取り外した点検扉１３を容易に取付けることができる。  
【００１６】
図８は、ユニット本体を構成するフレームとライトポール基礎部の外観斜視図である。
図において、２３はユニット本体の（構成フレームの）台座、２４はライトポールの基礎部、２５はライトポール取付け用のシャフト、２６は外筒、２７は取付け台、２８は上面のフレーム板、２９はフレーム板の下部を示す。
前記ユニット本体１の後面ブロック部Ｂのフレームの台座２３に立設されたライトポールの基礎部２４は、ライトポール取付け用のシャフト２５の外筒２６の基部を四方から囲んで配設されている取付け台２７と、前記取り付け台２７の中に立設される、上部の内径が拡大された段差３０を有し（図９参照）その先端部がユニット本体１の上面フレーム２８の下部２９まで延設された前記外筒２５とから構成されている。
【００１７】
図９はライトポールシャフトと調整ネジによる調整を示す縦断面図である。
図において、３０は段差、３１は上部のフランジ、３３はネジ孔、３４は短い管体、３５は隙間、３６は調整用ボルトのネジ孔、３７はシャフト２５の底面、３８は固定用ネジ、３９は調整用ボルト、を示す。
前記外筒２６の内部には、ライトポール取付け用シャフト２５と、前記取付け用シャフト２５の中央部に設けられたユニット本体１の上面のフレーム板２８に、上部のフランジ３１が固設されかつ、前記シャフト２５を前記外筒２６と共に外側面から固定する４個のネジ孔３３を有するシャフト取り付け用の短い管体３４が設けられており、
前記短い管体３４に挿嵌され、続いて前記外筒２６の中に挿嵌される前記ライトポール取付け用シャフト２５下部の外壁と外筒２６の内壁間には、調整に最適な隙間３５が生ずるように、外筒２６の内壁には段差３０が設けられている。そして、前記隙間３５を利用し、ライトポール取付け用シャフト２５の垂直度を側面の４方から調整するための押圧用ボルトのネジ孔３６が、外掩筒の下部に設けられてなる構成とし、
さらに、ライトポール(図示せず)は、ライトポール取付け用シャフト２５の底面３７より立設されてなり、前記ライトポール取付け用シャフト２５の垂直度を調整することにより、ライトポールの垂直度が調整される構造とし、ライトポールに直角に取付けられるライトアーム等（図示せず）を水平に調整する調整機構を備えている。
【００１８】
図１０は、ライトポールの調整機構を示す外観斜視図で、図１０の（ａ）は外観斜視図、図１０の（ｂ）は一部透視図を示す。
同図に基づいてライトポールを垂直に調整する順序を説明する。
まず、前記シャフト取付け用の短い管体３４に設けられている４個のネジ孔３３に螺入されている固定用ネジ３８を緩めシャフト２５を調整可能にし、次に、外筒２６下部の４個の調整用ボルトのネジ孔３６に螺入されている固定用調整用ボルト３９を利用して前記シャフト２５の垂直度を調整した後、前記緩めた固定用ネジ３８を締めてシャフト２５を固定しセットする。
なお、前記固定用ネジ３８及び調整用ボルト３９は六角孔付のものが望ましい。
以上の作業は、高い位置で外側面より容易に行うことができるので作業効率が良い。
【符号の説明】
【００１９】
１：ユニット本体
Ｆ：ユニット本体の前面ブロック部
Ｂ：ユニット本体の後面ブロック部
Ｒ：ユニット本体の右面ブロック部
Ｌ：ユニット本体の左面ブロック部
２：排水トラップ
３：サクションタンク
４：ボールプランジャー
４ａ：上のプランジャー
４ｂ：同プランジャーのボール
４ｃ：下のプランジャー
４ｄ：同プランジャーのボール
５：側板
５ａ：取付け板
６：エアーフィルター
７：水フィルター
８：ライトポールの基礎部
９：取付け板
１０：制御基板
１１：制御基板の取付け板
１２：収納スペース
１３：点検扉
１３ａ：扉側のマグネットキャッチ
１３ｂ：本体側のマグネットキャッチ
１４：ヒンジ
１５：ヒンジの基部、
１６：ヒンジの先端部                              
１７：ユニット本体のフレーム
２０：嵌入孔
２１：ガイド溝
２２：ストッパー
２３：フレームの台座
２４：ライトポールの基礎部
２５：ライトポール取付け用のシャフト
２６：外筒
２７：取付け台
２８：上面のフレーム板
２９：下部
３０：段差
３１：上部のフランジ
３３：ネジ孔
３４：短い管体
３５：隙間
３６：押圧用ボルトのネジ孔
３７：シャフト２５の底面
３８：固定用ネジ
３９：調整用ボルト、
４０：裏面に固設されているフレーム
４１：角錐状の突起   
４２：突起受孔
１０１：ユニット本体
１０２：チェアー
１０３：ドクターテーブル
１０４：ライトポール
１０５：ライトアーム
１０６：ベースン
１０７：ナーステーブル
【図１】
0003182920.tif 000003
【図２】
0003182920.tif 000004
【図３】
0003182920.tif 000005
【図４】
0003182920.tif 000006
【図５】
0003182920.tif 000007
【図６】
0003182920.tif 000008
【図７】
0003182920.tif 000009
【図８】
0003182920.tif 000010
【図９】
0003182920.tif 000011
【図１０】
0003182920.tif 000012
【図１１】
0003182920.tif 000013
【手続補正書】
【提出日】平成25年2月8日(2013.2.8)
【手続補正１】
【補正対象書類名】実用新案登録請求の範囲
【補正対象項目名】全文
【補正方法】変更
【補正の内容】
【実用新案登録請求の範囲】
【請求項１】
歯科治療装置におけるユニット本体（１）に着脱可能な点検扉（１３）を設けたことを特徴とする歯科治療装置におけるユニット本体。
【請求項２】
前記ユニット本体（１）を仕切板により複数のブロック部に分割したことを特徴とする請求項１に記載の歯科治療装置におけるユニット本体。
【請求項３】
前記点検扉（１３）が、その裏側の上下に、前記ユニット本体（１）側面の上下に取り付けられたボールプランジャーを嵌入する嵌入孔（２０）が設けられたヒンジ（１４）を備えてなることを特徴とする請求項１又は２に記載の歯科治療装置におけるユニット本体。
【請求項４】
前記ユニット本体（１）に、ライトポール調整機構を備えてなることを特徴とする請求項１から３のいずれか１に記載の歯科治療装置におけるユニット本体。
【請求項５】
前記ユニット本体（１）に設けられたライトポールが、ユニット本体（１）の台座に立設された外筒（２６）と、該外筒（２６）内に上部から挿入されたライトポール取付け用のシャフト（２５）とからなり、前記外筒（２６）とライトポール取付け用のシャフト（２５）とが垂直度を調整するため複数の調整用ボルトでなる上下２か所の調整機構を備えてなることを特徴とする請求項１から４のいずれか１に記載の歯科治療装置におけるユニット本体。
【手続補正２】
【補正対象書類名】明細書
【補正対象項目名】０００４
【補正方法】変更
【補正の内容】
【０００４】
上記に鑑み本考案者等は鋭意実験研究の結果下記の手段により課題を解決した。
（１）歯科治療装置におけるユニット本体に着脱可能な点検扉を設けたことを特徴とする歯科治療装置におけるユニット本体。
（２）前記ユニット本体を仕切板により複数のブロック部に分割したことを特徴とする（１）に記載の歯科治療装置におけるユニット本体。
（３）前記点検扉が、その裏側の上下に、前記ユニット本体側面の上下に取り付けられたボールプランジャーを嵌入する嵌入孔が設けられたヒンジを備えてなることを特徴とする（１）又は（２）に記載の歯科治療装置におけるユニット本体。
（４）前記ユニット本体に、ライトポール調整機構を備えてなることを特徴とする（１）から（３）のいずれか１に記載の歯科治療装置におけるユニット本体。
（５）前記ユニット本体に設けられたライトポールが、ユニット本体の台座に立設された外筒と、該外筒内に上部から挿入されたライトポール取付け用のシャフトとからなり、前記外筒とライトポール取付け用のシャフトとが垂直度を調整するため複数の調整用ボルトでなる上下２か所の調整機構を備えてなることを特徴とする（１）から（４）のいずれか１に記載の歯科治療装置におけるユニット本体。